【事件の表示】
　平成２年特許願第２２４５５２号「現用・予備クロック信号供給装置」拒絶査定に対する審判事件〔（平成３年４月１７日出願公開）、特開平３−９１８２０号、請求項の数（９）〕についてした平成10年４月９日付けの審決に対し、東京高等裁判所において審決取消しの判決〔平成10年（行ケ）第325号、平成13年12月27日判決言渡〕があったので、さらに審理の結果、次のとおり審決する。
【結　論】
　原査定を取り消す。
　本願の発明は、特許すべきものとする。
【理　由】
　
１．手続の経緯
  本願は、平成２年（1990年）８月28日（パリ条約による優先権主張 1989年８月28日、ドイツ連邦共和国）の特許出願であって、平成６年６月30日に拒絶査定され、同年10月21日、これに対する不服の審判を請求し、平成10年４月９日「本件審判の請求は、成り立たない。」との審決がなされ、審判請求人はこれを不服として東京高等裁判所に出訴し、その後本願に係る上記審決について東京高等裁判所において審決取消しの判決〔平成10年（行ケ）第325号、平成13年12月27日判決言渡〕があったものである。
　
２．請求項に係る発明
　本願の請求項１〜９に係る発明は、平成６年10月21日付け、及び平成９年11月20日付けの手続補正書により補正された明細書の特許請求の範囲の請求項１〜９に記載された次のとおりのものである。
　「１．現用クロック信号(TSb)を送出する現用クロック信号発振器(VCOb)と予備クロック信号(TSe)を送出する予備発振器(VCOe)とを備えかつ現用クロック信号(TSb)及び予備クロック信号(TSe)を少なくとも１つのモジュール(BG1、BG2、・・・)に供給する、デジタル装置のための現用・予備クロック信号供給装置において、
　現用・予備クロック信号供給装置は、現用クロック信号(TSb)及び予備クロック信号(TSe)、又はこれらの信号から導出されたスペクトル信号(Sb、Se；SV)の異なった振幅の同一の調波成分を１つの合成信号(Sr)に統合する少なくとも１つのクロック信号加算回路(SU)と、前記合成信号(Sr)から合成クロック信号(TSr)を導出するフィルタ(FI)とから構成されていることを特徴とする現用・予備クロック信号供給装置。
２〜９．（省略）」
　
３．刊行物に記載された事項
  これに対して、原査定の拒絶の理由で引用された特開昭50-114965号公報（以下、「刊行物１」という。）には、高信頼度のクロック信号発生回路（第１、２図）に関し、次の技術事項が記載されている。
(i) 「クロック信号発生回路を高信頼化するために、基本となる信号発生源例えば水晶発振器を相互にあるいは他の基準源と同期させて複数個設置し、この複数個の信号発生源を使用してクロック信号を発生し一つの信号発生源が故障してもクロック信号が断とならないようにする構成がある。この構成の一つの形式に第１図に示すように、各信号発生源からの信号101、102、103をアナログ加算器104（107の誤記と考えられる）の入力端子104、105、106に加え、出力端子108に現れる３入力の加算出力109をシュミット回路等のしきい値回路でパルス変換してクロック信号として用いるものがある。この場合入力の一つが断となる第２図に示すようにパルス巾の減少を生じ瞬時的な位相跳躍または位相変動となる。更に詳しく説明すると第２図で３入力の場合の加算出力波形201は一つの入力が断となって２入力となると波形202となる。この場合、しきい値としてレベル207を用いるも、その動作点は波形201の場合は203、204、波形202の場合は205、206であり、その結果得られるクロックパルス波形は、正常時すなわち波形201の場合は波形208であるが故障が生じると波形209となり、故障発生時に位相面でのクロック信号の跳躍を生じこのクロックパルスを使用する系に障害を発生させて系の誤り、同期はずれ等を生じさせることがある。」（第１頁左下欄最下行〜第２頁左上欄第６行目を参照。）
(ii)「また実施例では３入力端子を有するクロック信号発生回路の場合であったが２以上の入力端子の場合でもよいし、また、入力信号も正弦波入力でなくともよい」（第３頁左上欄第４〜７行目を参照。）
　
  同じく引用された特開昭63-14555号公報（以下、「刊行物２」という。）は、デジタルインタフェース装置に関するもので、現用系クロック信号(a)から予備系クロック信号(b)に切替える場合について図面とともに次の技術事項が記載されている。
　「定期切替等により現用系クロック信号(a)は、系切替信号(c)によって予備系クロック信号(b)に切替えられると、クロック分配回路26からの出力信号である分配クロック信号(d)は予備系クロック信号(b)となる。
　この切替えの場合、切替時のトランジェントを避けるため、クロック分配回路26への２系統のクロック信号の入力波形の立上がり前に切替えるように構成されているとすると、第２図に示すように分配クロック信号(d)は破線部分のない信号となる場合がある。
　しかし、この分配クロック信号(d)を受信した共振回路11では、しばらくの間分配クロック信号(d)と同一の周波数に共振する信号を出力するように調整されておれば、その出力信号はクロック信号再生回路12によって第２図に示す再生クロック信号(e)を出力する。即ち、再生クロック信号(e)は現用系（又は予備系）クロック信号(a)（又は(b)）と同一信号となる。
　この再生クロック信号(e)はデジタルインタフェース回路13で正常なAMI符号信号(f)に変換されて出力される。
　このようにしてデジタルインタフェース装置１は、同期はずれやクロック信号抜等の障害を発生させることなくデジタル交換機からの現用系と予備系とのクロック信号の相互切替えを行わせることができる。」（第２頁右上欄第10行目〜同頁左下欄第16行目を参照。）
　
  さらに、同じく引用された特開昭62-92062号公報（以下、「刊行物３」という。）は、データ処理装置並びにそこで使用するマルチプル冗長クロック装置に関するもので、次の技術事項が記載されている。
(i) 「本発明は、複数個の並列動作するデータ処理モジュールから成り、複数個のクロック回路から成り、各クロック回路が夫々のデータ処理モジュールに割り当てられたマルチプル冗長クロック装置を具え、このクロック装置がまた夫々のクロック回路間の出力クロック信号を通信する相互接続回路網を具え、各クロック回路が、受け取った出力クロック信号から多数派信号を判定する入力側の多数決装置と、この多数派信号により制御機能を介して再調整し、クロック関数信号と多数派信号との間のずれを小さくする再調整回路を具備するクロック関数発生器と、前記クロック関数信号から関連するクロック回路の出力クロック信号を作る出力要素とを具えるデータ処理装置に関するものである。
　この種類のデータ処理装置は、・・・データ処理モジュールの一方が故障しても、装置が動作し続けられるようになっている。このようなデータ処理装置マルチプル冗長クロック装置を設け・・・、クロック装置の所定の故障も許せるようにすることが提案されている。」（第２頁左下欄第13行目〜同頁右下欄第19行目を参照。）　
(ii)「本発明は、４個のデータ処理モジュールを設け、各モジュールが夫々のクロック回路を具え、各入力側の多数決装置が排他的に他のクロック回路の出力クロック信号を受け取り、そこから2/3の多数派を判定し、多数派信号による制御機能が、その二進多数派信号内の各信号遷移に対し、１より相当に小さいずれ減少ファクタを形成するように構成したことを特徴とする。」（第３頁第11〜19行目を参照。）
　
４．対比・判断
  請求項１に係る発明と上記刊行物１に記載されたものとを対比する。刊行物１に記載されたものにおいて「信号101」、及び「信号102」の２入力端子を有するクロック信号発生回路（刊行物１の記載事項(ii)を参照）を考えると、「信号101」、及び「信号102」の各信号はいずれも合成クロック信号を作成するために用いられる源信号で、いずれか一方の信号が欠けてもクロック信号は断とはならないものであり、いずれを現用信号、予備信号といってもよいものであり、その限りにおいて請求項１に係る発明における「現用クロック信号(TSb)」、及び「予備クロック信号(TSe)」と共通する。また、上記各信号は水晶発振器を信号発生源とするものであるから、それらの信号発生源は現用発振器、予備発振器という限りにおいて請求項１に係る発明における「現用クロック信号発振器(VCOb)」、及び「予備発振器(VCOe)」と共通する。刊行物１に記載されたものにおいて、クロック信号はコンピュータ等のデジタル装置のタイミングをとるために用いられるものであることは明らかであり、該デジタル装置は請求項１に係る発明における「モジュール（BG1、BG2、・・・）」に相当する。刊行物１に記載されたものにおける「信号101」、及び「信号102」は同一の調波成分を表しており、その加算を行う「アナログ加算器107」は、各信号を合成し加算するという限りにおいて請求項１に係る発明における「クロック信号加算回路(SU)」と共通する。刊行物１に記載されたものにおける「加算出力109」は、請求項１に係る発明における「合成信号(Sr)」に相当し、「加算出力109」をシュミット回路等のしきい値回路でパルス変換して得られるクロック信号は、請求項１に係る発明における「合成クロック信号(TSr)」に相当する。この場合、刊行物１に記載されたものにおける「シュミット回路」は、合成信号を波形整形し合成クロック信号を導出する波形導出回路という限りにおいて請求項１に係る発明における「フィルタ(FI)」と共通するものである。そうすると、請求項１に係る発明と刊行物１に記載された発明とは、現用信号を送出する現用信号発振器と予備信号を送出する予備発振器とを備えかつ現用信号及び予備信号を少なくとも１つのモジュールに供給する、デジタル装置のための現用・予備クロック信号供給装置において、現用・予備クロック信号供給装置は、現用信号及び予備信号の同一の調波成分を１つの合成信号に統合する少なくとも１つの信号加算回路と、前記合成信号から合成クロック信号を導出する波形導出回路とから構成されている現用・予備クロック信号供給装置である点では一致乃至共通するものの、少なくとも、現用、予備用の信号に関し、請求項１に係る発明においては、どのような場合でも合成クロック信号(TSr)を得ることができるようにするために、現用クロック信号(TSb)及び予備用クロック信号(TSe)の振幅を異ならせているのに対し、刊行物１に記載されたものにおいては、信号101、信号102（現用、予備用の信号）の振幅について特に明示的に言及されていない点で相違する。
  そこで、この相違点について検討すると、刊行物１に記載された事項によれば、しきい値207を固定値としており、加算出力109の振幅が大きく変化すると、それに伴いそこから導出されるクロックパルスのパルス巾が変化するため、正弦波信号である信号101、信号102の位相を同期させて加算出力の振幅を大きくすることにより正弦波信号の一つが欠けたとしても加算出力の振幅が大きく変化しないようにして、クロックパルスの巾が余り変化しないようにしたものであるといえるので、刊行物１に記載されたものは信号101、信号102はその位相を同期させることが不可欠の条件であり、その振幅は等しくされているものと解され（第１、２図示の信号波形参照）、また、刊行物１には信号101、信号102の振幅を異ならせることについて何らの技術的示唆もされていない。
  刊行物２に記載されたものは、現用系クロック信号(a)から予備系クロック信号(b)に切替えるデジタルインタフェース装置に関するものであるが、２つのクロック信号の振幅は等しくされているものであり、請求項１に係る発明のように異なる振幅とはされていない。刊行物３に記載されたものは、多数決装置には４つのクロックパルス信号が供給されるものであり、請求項１に係る発明のように２つのクロック信号が供給されるものではない。刊行物１に記載されたものに、刊行物２、及び刊行物３に記載されたものを適用しても、請求項１に係る発明における「現用クロック信号及び予備用クロック信号の振幅を異ならせる」という構成を導き出すことはできない。また、刊行物１に記載されたものにおいて信号101、信号102の振幅を異ならせることが周知技術もしくは当業者の技術常識であるとする根拠も見当たらない。
  そして、請求項１に係る発明は、上記構成を含む構成により、異なる振幅を有する２つの入力信号が加算されると、２つの入力信号が任意の位相差例えば180°の位相差を有することになるとしても、所望の合成クロック信号が必ず得られるという上記各刊行物に記載されたものから予測できない格別の作用効果を奏するものである。
  したがって、請求項１に係る発明は、刊行物１〜３に記載されたものに基づいて当業者が容易に想到できたものとすることはできない。
　
  また、本願の請求項２〜９に係る発明は、いずれも請求項１に係る発明を引用するものであるから、請求項１に係る発明が上記したように刊行物１〜３に記載されたものに基づいて当業者が容易に想到できたものとすることはできない以上、請求項２〜９に係る発明を刊行物１〜３に記載されたものに基づいて当業者が容易に想到できたものとすることはできない。
　
５．むすび
  したがって、本願の請求項１〜９に係る発明は、刊行物１〜３に記載されたものに基づいて当業者が容易に発明をすることができたものとすることはできない。
  また、他に本願を拒絶すべき理由を発見しない。
  よって、結論のとおり審決する。